(57)【要約】【課題】      時間、身体的制約がある飼主が利用できるよう送迎付ドッグランサービスを提供するシステムが必要となり、ドッグラン予約、個体状態監視、入退場管理装置を提供することにある。【解決手段】  本発明は、送迎付ドッグランサービスを実現するために、顧客リストを用意しておくことにより顧客よりの利用申し込みがあったとき、サーバに保管されている会員番号を検索し会員データの照合をして、送迎スケジュールを作成するよう構成されている。そして、当該日の送迎スケジュールに基づき顧客リストより利用者の住所を検索し、予め用意されている住所座標データにより、距離を算出し送迎時間を決定し顧客に通知する。当該日、顧客の犬が入場したことを登録するとともに、個体識別チップを内蔵した首輪を装着しサークル内に放つ。このとき顧客からの犬のサークル内の様子を見るための映像配信要求を受付け、犬の首輪に取付けた個体識別チップからの信号を受信し方向を検知し監視カメラを動作させ映像情報を配信する。サークルよりの退場時は退場登録を行い、監視経緯報告を出力する。【選択図】    図１
2005339485.tif 000002
【特許請求の範囲】
【請求項１】
利用の申し込みを受付ける手段、
利用の申し込み受付を記録する申し込み受付記憶手段、
予め会員の名前、会員番号、会員有効期間、住所、電子メールアドレス、暗証番号を記録しておく会員データ記憶手段、
利用スケジュールを記録しておくスケジュール記憶手段、
予め住所の座標データを記録しておく住所座標記憶手段、
座標データより算定された距離を記録しておく距離記憶手段、
利用受付確定、送迎時間を記録するお知らせ記憶手段、
入場登録入力手段、
入場登録を記録する入場記憶手段、
映像配信依頼受付手段、
映像配信依頼受付を記録する映像配信依頼受付記憶手段、
監視カメラ制御手段、
監視カメラ映像情報配信手段、
退場登録入力手段、
退場登録を記録する退場記憶手段、
ドッグラン内個体識別信号を受信する個体識別受信手段
ドッグラン内個体移動情報を記録する個体移動情報記憶手段
監視経緯報告記憶手段、
プリンタ出力手段
を備えた送迎付きドッグラン運用情報処理装置の動作方法であって、
当該制御手段が、
当該利用の申し込み受付記憶手段から読み出したデータと会員データ記憶手段から読み出したデータと照合し利用スケジュールを記憶する手段に送信するステップ、
利用スケジュールを記憶する手段から空きスケジュールかを確認するステップ、
利用スケジュールを記憶する手段の申し込み者住所より住所座標テーブルから座標を読み出し利用申し込み者間の距離を計算するステップ、
利用申し込み者間の距離を読み出し距離に相当する時間を計算するステップ、
利用申し込み者に受付け確定、送迎時間のお知らせ配信するステップ、
映像配信依頼受付記憶手段より読み出したデータと入場記憶手段より読み出したデータの一致により監視カメラ制御手段に配信するステップ、
退場記憶手段の読込みにより個体移動情報記憶手段より監視経緯報告記憶手段へデータを配信するステップ、
監視経緯報告記憶手段よりデータを読み出しプリンタ出力手段へ配信するステップ、
を実行する送迎付きドッグラン運用情報処理装置の動作方法。
【発明の詳細な説明】
【技術分野】
【０００１】    本発明は、ドッグランサービスの予約、個体状態監視、入退場管理のシステムに関する。
【背景技術】
【０００２】    従来のドッグランサービスは、ドッグランサークルを提供し、飼主が犬の搬送および入場時の管理を行っていた。しかし、時間、身体的制約がある飼主の利用は考慮されていなかった。
【発明の開示】
【発明が開示しようとする課題】
【０００３】    時間、身体的制約がある飼主が利用できるよう送迎付ドッグランサービスを提供するシステムが必要となり、ドッグラン予約、個体状態監視、入退場管理装置を提供することにある。
【課題を解決するための手段】
【０００４】    本発明は、送迎付ドッグランサービスを実現するために、会員データリスト（名前、会員番号、会員有効期間、住所、電子メールアドレス、暗証番号からなる）を用意しておくことにより会員よりの利用申し込みがあったとき、サーバに保管されている会員番号を検索し会員データの照合をして、送迎スケジュールを作成するよう構成されている。
そして、該当日の送迎スケジュールに基づき会員データリストより利用者の住所を検索し、予め用意されている住所座標データにより、距離を算出し送迎時間を決定し利用者に通知する。
当該日、利用者の犬が入場したことを登録するとともに、個体識別チップを内蔵した首輪を装着しサークル内に放つ。このとき利用者からの犬のサークル内の様子を見るための映像配信要求を受付け、犬の首輪に取付けた個体識別チップからの信号を受信し方向を検知し監視カメラを動作させ映像情報を配信する。
サークルよりの退場時は退場登録を行い、監視経緯報告書をプリントアウトする。
【発明の効果】
【０００５】    時間、身体的制約がある飼主が利用できる送迎付ドッグランサービスの運用ができるようになる。
【発明を実施するための最良の形態】
【０００６】    図１は、ドッグラン予約、個体状態監視、入退場管理装置の構成図である。表示装置６とキーボードやマウス等の入力装置８が、バス１７に接続されている。また、バス１７には出力装置１４を介してプリンタ１５が接続されている。中央処理装置１は会員データ照合、予約空きスケジュール検索、住所距離計算、入退場管理プログラム、監視カメラ駆動制御、映像配信、報告書作成プログラムの実行等を行う。ファイル装置２は入場登録、退場登録用制御プログラムが格納されている。またバス１７には入場登録７、退場登録１６の入力ポートが接続されている。通信装置１２を介してインターネット１３に繋がっており、個体識別チップ４とのデータのやり取りを行う通信装置３も設置されている。その他に監視カメラ１０に駆動装置９及び映像入力装置１１が接続されている。またファイル装置５には、申込受付ファイル、会員データファイル、スケジュールファイル、住所座標ファイル、距離ファイル、お知らせファイル、入場登録ファイル、退場登録ファイル等が記憶されている。
図２のフローチャートにしたがって、本プログラムによる動作を説明する。（Ｓ１）予約の申込を受付ける。（Ｓ２）会員データテーブルを読込む。（Ｓ３）会員のデータを照合し資格があるかをチェックする。ＯＫならば（Ｓ４）予約スケジュールテーブルに空きがあるかを判定する。空きがあれば（Ｓ５）会員のデータより住所を読込む。（Ｓ６）読込んだ住所を基に座標ファイルを読込む。（Ｓ７）座標より距離を計算する。（Ｓ８）距離より該当地区所要走行距離係数を基に走行時間を算出する。（Ｓ９）走行時間を基に送迎予定時間を算出し通知する。（Ｓ１０）予約客を受入たとき入場登録をする。（Ｓ１１）退場登録があるかをチェックする。退場登録がなければ（Ｓ１２）顧客からのサークル内の様子を映した映像をインターネットより見るための映像配信依頼を受付けているかをチェックする。受付けていれば（Ｓ１３）監視カメラシステムを駆動する。（Ｓ１４）監視カメラで撮った映像を配信する。（Ｓ１４）映像配信依頼が終了したかチェックする。終了していなければ配信をし続ける。終了していれば、配信を止め再び退場登録があるかをチェックし、退場登録があれば（Ｓ１６）報告書を作成し、終了する。
【図面の簡単な説明】
【０００７】
【図１】  ドッグラン予約、個体状態監視、入退場管理装置の構成
【図２】  処理フロー
【符号の説明】
【０００８】    １    中央処理装置
２    制御プログラム用ファイル装置
３    個体識別チップ用通信装置
４    個体識別チップ
５    ファイル装置
６    表示装置
７    入場登録
８    入力装置
９    駆動装置
１０    監視カメラ
１１    映像入力装置
１２    インターネット用通信装置
１３    インターネット
１４    出力装置
１５    プリンタ
１６    退場登録
１７    バス
Ｓ１    申込受付処理
Ｓ２    会員データ読込処理
Ｓ３    会員データ照合判定処理
Ｓ４    空きスケジュール判定処理
Ｓ５    会員住所読込処理
Ｓ６    住所座標テーブル読込処理
Ｓ７    住所距離計算処理
Ｓ８    走行時間算出処理
Ｓ９    送迎時間通知処理
Ｓ１０    入場登録処理
Ｓ１１    退場登録判定処理
Ｓ１２    映像配信依頼受付判定処理
Ｓ１３    監視カメラシステム駆動処理
Ｓ１４    映像配信処理
Ｓ１５    映像配信依頼終了判定処理
Ｓ１６    報告書作成処理
【図１】
2005339485.tif 000003
【図２】
2005339485.tif 000004